(57)【要約】  本発明は、光学レンズを周辺加工する装置と方法に関する。本発明によれば、所定の少なくとも１つの周辺加工操作を実現するため、レンズの外周を加工する第１の加工具（５０）とレンズ本体の切断具（６３７）の間で選択がなされる。本発明は、エネルギーの小さな処理膜で覆われた光学レンズを周辺加工するため、レンズ本体を切断する操作を含む方法にも関する。
2009536102.tif 000002
【特許請求の範囲】
【請求項１】
所望の輪郭に沿って周辺切除する少なくとも１つの操作を含む光学レンズ（１００）の周辺加工法であって、
レンズ（１００）の外周を加工する第１の加工具（５０）とレンズ（１００）本体の切断具（６３７）の間で選択を行なって周辺切除を実現する操作を含む、
ことを特徴とする方法。
【請求項２】
周辺切除中は前記レンズが保持手段（６１２、６１３）によって保持され、
前記選択が、
−  前記レンズに関するパラメータ、
−  前記加工具または前記切断具に関するパラメータ、
−  前記レンズ保持手段（６１２、６１３）に関するパラメータ、
−  前記レンズの望ましい輪郭形状に関するパラメータ、
を単独で用いて、または組み合わせてなされる、
ことを特徴とする請求項１に記載の周辺加工法。
【請求項３】
前記選択が、前記レンズの少なくとも１つの面の濡れ角を考慮してなされる、ことを特徴とする請求項１または２に記載の周辺加工法。
【請求項４】
前記選択が、
前記レンズに関するパラメータを考慮してなされるか、あるいは、
前記レンズに関するパラメータと、そのレンズ（１００）がその保持手段（６１２、６１３）に対して滑ることなくそのレンズに加えることのできるトルクの最大値を特徴づける、そのレンズ保持手段（６１２、６１３）に関するパラメータとの組み合わせを考慮してなされる、
ことを特徴とする請求項２または３に記載の周辺加工法。
【請求項５】
前記レンズに関するパラメータに、そのレンズの厚さが含まれる、ことを特徴とする請求項２から４のいずれか１項に記載の周辺加工法。
【請求項６】
前記レンズに関するパラメータに、そのレンズを構成する材料が含まれる、ことを特徴とする請求項２から５のいずれか１項に記載の周辺加工法。
【請求項７】
前記レンズに関するパラメータに、そのレンズを構成する材料の組成中に、加工時に悪臭を発生させる可能性のある物質が含まれているかいないかが含まれる、ことを特徴とする請求項６に記載の周辺加工法。
【請求項８】
周辺切除を実現するため、前記レンズ（１００）の望ましい輪郭が少なくとも１つの変曲点を有するのであれば前記レンズ本体の切断具（６３７）を選択し、そうでない場合には前記レンズ（１００）の外周を加工する第１の加工具（５０）を選択する、ことを特徴とする請求項１から７のいずれか１項に記載の周辺加工法。
【請求項９】
周辺切除を実現するため、前記レンズ（１００）の望ましい輪郭が少なくとも１つの凹部を有するのであれば前記レンズ本体の切断具（６３７）を選択し、そうでない場合には前記レンズ（１００）の外周を加工する第１の加工具（５０）を選択する、ことを特徴とする請求項１から７のいずれか１項に記載の周辺加工法。
【請求項１０】
前記選択の対象となる所定の周辺切除操作が荒仕上げであり、その後、レンズ（１００）の外周を加工する第１の加工具（５０）とは異なる、レンズ（１００）の外周を加工する第２の加工具（５５）で仕上げを実施する、ことを特徴とする請求項１から９のいずれか１項に記載の周辺加工法。
【請求項１１】
前記レンズ（１００）本体の切断具（６３７）の直径が、レンズ（１００）の外周を加工する第１の加工具（５０）の直径よりも著しく小さい、ことを特徴とする請求項１から１０のいずれか１項に記載の周辺加工法。
【請求項１２】
前記レンズ（１００）本体の切断具（６３７）の直径がそのレンズ（１００）の半径よりも著しく小さい、ことを特徴とする請求項１から１１のいずれか１項に記載の周辺加工法。
【請求項１３】
前記レンズ（１００）の切断に複数回の切断操作が含まれていて、１回ごとの切断操作は、軸方向に浅い切り込み深さで所望の輪郭に沿って実現される、ことを特徴とする請求項１から１２のいずれか１項に記載の周辺加工法。
【請求項１４】
切断の前に、前記レンズの少なくとも１つの面を所望の輪郭に沿って接触探査し、少なくとも１回の切断時に、そのようにして回収された接触探査データに応じて前記切断具（６３７）の軸方向の移動を制御する、ことを特徴とする請求項１３に記載の周辺加工法。
【請求項１５】
前記レンズ（１００）が、そのレンズの軸線にほぼ平行な軸線のまわりに前記切断具（６３７）に対して回転駆動され、回転方向が２回の切断操作の間に逆転する、ことを特徴とする請求項１３または１４に記載の周辺加工法。
【請求項１６】
前記レンズ（１００）が、そのレンズの軸線にほぼ平行な軸線のまわりに前記切断具（６３７）に対して回転駆動され、１回の切断操作の少なくとも一部が第１の回転方向に実現され、その切断操作の残りの切断が、第１の回転方向とは逆の第２の回転方向に実現される、ことを特徴とする請求項１から１５のいずれか１項に記載の周辺加工法。
【請求項１７】
前記レンズ（１００）の切断に、所望の輪郭に沿ってそのレンズを切断することに加え、複数の周辺区画（１０１、１０２、１０３、１０４）に分割する径方向の区画線に沿った切断が含まれる、ことを特徴とする請求項１から１６のいずれか１項に記載の周辺加工法。
【請求項１８】
径方向の区画線に沿った前記切断の後に、所望の輪郭に沿った前記切断を行なう、ことを特徴とする請求項１７に記載の周辺加工法。
【請求項１９】
前記切断の前に、前記レンズの少なくとも１つの面を前記径方向の区画線に沿って接触探査し、切断時に、そのようにして回収された接触探査データに応じて前記切断具（６３７）の軸方向の移動を制御する、ことを特徴とする請求項１４に従属している請求項１７または１８に記載の周辺加工法。
【請求項２０】
前記光学レンズ（１００）の少なくとも１つの面が１００°を超える濡れ角を与える処理膜で覆われている場合、前記選択が前記切断具を使用することからなる、ことを特徴とする請求項１から１９のいずれか１項に記載の周辺加工法。
【請求項２１】
片面または両面に１００°を超える濡れ角を与える処理膜で覆われた光学レンズ（１００）を周辺加工する方法であって、そのレンズの本体を切断する操作を含む、ことを特徴とする方法。
【請求項２２】
少なくとも１つの変曲点を有する輪郭に沿って光学レンズ（１００）を周辺加工する方法であって、そのレンズの本体を切断する操作を含む、ことを特徴とする方法。
【請求項２３】
光学レンズ（１００）を所望の輪郭に沿って周辺加工するための装置であって、
−  そのレンズ（１００）の外周を加工する第１の加工具（５０）と、
−  そのレンズ（１００）本体の切断具（６３７）と、
−  周辺加工中にそのレンズを保持する手段（６１２、６１３）と、を備えていて、
所定の少なくとも１つの周辺加工操作のためにレンズ（１００）の外周を加工する第１の加工具（５０）とレンズ（１００）本体の切断具（６３７）の間で選択を行なう選択手段を備える、
ことを特徴とする装置。
【請求項２４】
前記選択手段が、
−  前記レンズに関するパラメータ、
−  前記加工具または前記切断具に関するパラメータ、
−  前記レンズ保持手段（６１２、６１３）に関するパラメータ、
−  前記レンズの望ましい輪郭形状に関するパラメータ
を単独で用いて、または組み合わせて、
レンズ（１００）の外周を加工する第１の加工具（５０）とレンズ（１００）本体の切断具（６３７）のどちらを選択するかを決定する決定手段を備える、
ことを特徴とする請求項２３に記載の周辺加工装置。
【請求項２５】
前記レンズ（１００）の切断具（６３７）が、そのレンズ（１００）の軸線に平行な方向に沿ってそのレンズに対して移動できるように取り付けられている、ことを特徴とする請求項２１から２４のいずれか１項に記載の周辺加工装置。
【発明の詳細な説明】
【技術分野】
【０００１】
本発明は、全体として、矯正用メガネのレンズをフレームに取り付けることに関するものであり、さらに特定するならば、メガネのレンズをフレームに取り付けることを目的とした周辺加工の方法と装置に関する。
【背景技術】
【０００２】
メガネ屋の仕事の技術的な部分は、メガネをかける人が選んだフレームに一対のメガネ用レンズを取り付けることからなる。
【０００３】
この取り付けは２つの主要な操作に分解される。
−  各レンズの位置合わせ。この操作は、メガネをかけることになる人の目に対するレンズの位置と向きを適切な状態にすることからなる。
−  各レンズの周辺加工。この操作は、明確になった位置合わせパラメータを考慮に入れてレンズの輪郭を研磨または切断して所望の形状にすることからなる。
【０００４】
本発明の範囲では、周辺加工と呼ばれる第２の操作に興味がある。メガネをかけることになる人が選んだフレームに取り付けることを目的としたレンズの周辺加工は、そのレンズの輪郭を変更してそのフレームに合わせること、および／またはレンズの望ましい形状に合わせることからなる。周辺加工は、通常は２つの主要な操作に分解される。それは、周辺切除操作（“荒仕上げ”と呼ばれることがしばしばある）と、取り付けのタイプに合わせた仕上げ操作である。周辺切除は、問題のメガネ用レンズの不要な周辺部を除去し、その輪郭（最初は円形であることが最も多い）を問題のメガネのフレームの円形部または取り囲み部に合わせること、またはフレームが円形部を持たないタイプの場合には単に美的に望ましい形状にすることからなる。通常は、この周辺切除操作の後に面取り操作が続く。面取り操作は、縁取りされたレンズ周縁部の２つの鋭い外周を切り落とすこと、または面取りすることからなる。仕上げ操作は、実現する取り付けがどのようなものであるかによって異なる。取り付けが囲まれるタイプであるときには、この面取りに、通常は面取り縁部と呼ばれるリブを確実に形成することからなる斜めの切断が付随する。この面取り縁部は、メガネのフレームの円形部または取り囲み部に設けられた対応する溝（通常はベゼルと呼ばれる）に嵌まることになる。フレームが円形部のないタイプであるときには、レンズの周辺加工と、場合によっては実施される鋭い外周の切り落とし（面取り）の後に、円形部なしのフレームの本体と鼻当てパッドに固定できるようにするためにレンズに適切な穴を開ける操作が続く。最後に、取り付けがナイロン糸でたがを嵌めた状態にするタイプであるときには、面取りに、レンズの縁に溝を設けることからなる溝形成操作が付随する。この溝は、レンズをフレームの堅固な部分に押し付けるためにフレームのナイロン糸を受け入れるためのものである。
【０００５】
これらの操作は、適切な一連の砥石車を備えるグラインダと呼ばれる同一の研削機械で順番に実施されることが最も多い。穿孔は、対応する道具を備えたグラインダで実施すること、または別の穿孔機械で実施することができる。
【０００６】
周辺切除操作と仕上げ操作そのものは、複数の下位操作に分割することができる。それは例えば、荒仕上げ、仕上げ、研磨である。
【０００７】
通常、レンズの周辺加工は、レンズの保持・回転駆動手段と、実施する異なるさまざまな操作に適した複数の砥石車とを備えるディジタル制御のグラインダで実施される。レンズは最初に保持・回転駆動手段に配置がわかった状態で固定されるため、その光学座標系がわかり、操作をこの座標系を基準にして正確に実施することができる。実際、光学座標系を記憶させた上でこの固定を行なうことにより、レンズ上に幾何学座標系を規定して物理的に実現することができる。この幾何学座標系では、幾何学座標系を瞳の位置と一致させるのに必要なレンズの特徴的な点と方向を知るとともに、これらの特徴的な点と方向が適切にフレーム内に位置するようになる周辺加工の値を知ることができる。
【０００８】
最近、保持と駆動が難しいことが明らかな新しいタイプのレンズが市場に導入された。メガネ用レンズ、その中でも特に反射防止レンズの両面が滑らないようにするため、レンズの片面または両面に表面エネルギーが小さい特別なコーティングを付着させることが実際に知られている。この特別なコーティングは、水が付着しない（疎水性コーティング）または油が付着しない（疎油性コーティング）という特性を有する。
【０００９】
しかしこのようなコーティングは、コーティングが載るレンズの表面を非常に滑りやすくする。したがって保護パッドを配置するのに用いる接着剤は、レンズの滑りやすい表面にうまく付着しない。同一の問題が、固定用パッドを取り付ける際に生じ、固定用パッドはレンズの表面にうまく接着しない。ところでレンズを周辺加工する際、砥石車は、材料を除去するときに径方向に垂直な（摩擦）力をレンズの外周に及ぼす。するとレンズには、特にレンズの周辺切除を荒仕上げするために大量の材料を研磨するとき、大きなトルクが発生する。その結果、周辺加工するとき、特に周辺切除を荒仕上げするとき、レンズがレンズ保持・回転駆動手段（保護パッドまたは固定用パッド）に対して滑る。したがってレンズの位置合わせ、特に角度合わせ（すなわちグラインダの座標系におけるレンズの角度方向）が変化し、レンズの得られる輪郭は、光学座標系に対して周辺加工後に所望の最終輪郭とは異なったものになる。
【００１０】
１つの解決法は、研磨１回ごとに除去する材料の量を減らしてレンズの外周に及ぼされるトルクを小さくすることである。しかしこの解決法は十分なものではなく、いずれにせよサイクル時間が著しく長くなる。
【００１１】
レンズを保護パッドで固定するため、滑りやすいコーティングの表面に、保護パッドの設置に用いられる接着剤との接着力を大きくするインターフェイスを付着させることが知られている。この解決法も十分なものではなく、製造ステップが全体として増える。
【００１２】
同様の問題が、薄くて壊れやすい材料であるためにコーティングに亀裂が入る危険性があるレンズの周辺加工で生じる。実際、薄くて変形可能な材料（例えばポリカーボネート）からなるレンズは、支持用シャフトの間に締め付けて周辺加工機械を回転駆動するときに湾曲する。レンズのこの変形が過剰になってレンズのコーティングに亀裂が入る可能性がある。これは許容できず、レンズが屑になる。この現象を避けるには、レンズの変形を小さくする必要がある。そのためには支持用シャフトの間にレンズを締め付けて周辺加工機械を回転駆動する力を小さくする必要がある。
【００１３】
さらに、レンズを加工するとき、レンズの成分に含まれるある種の有機材料（悪臭物質）が放出される。それは特に、屈折率が中程度から大きい（一般に１．６を超える屈折率の）有機材料である。ところで容易にわかるように、このような臭いが放出されると、周辺加工機械が置かれている場所またはその近傍にいる作業者の仕事条件に悪い影響があるだけでなく、レンズの取り付けを準備する作業場が販売スペースに隣接している場合や単に訪問場所となっている場合に顧客満足度にも悪い影響がある。
【００１４】
レンズを洗練された形状、特にレンズの平均面から見て変曲点を有する凹部が１つまたは複数ある形状の輪郭に沿って周辺切除しようとするときに別の問題が生じる。実際、この場合には、レンズ周辺部を加工する従来の加工具（例えば砥石車またはフライスカッター）を用いてこの形状を得ることは一般にできない。砥石車やフライスカッターは、変曲点に忠実な加工を行なうには直径が大きすぎる。
【発明の開示】
【発明が解決しようとする課題】
【００１５】
本発明の１つの目的は、さまざまな特性を持っていて加工の際に滑ったり変形したりするおそれがあったりなかったりするレンズの効率的で正確で信頼性のある周辺加工が可能な周辺加工方法と周辺加工装置を提供することである。
【００１６】
本発明の別の目的は、ある種のレンズを周辺加工する際に悪臭物質または不快な物質の放出を減らすことのできる周辺加工方法と周辺加工装置を提供することである。
【００１７】
本発明のさらに別の目的は、複雑な形状に沿ってレンズの周辺加工を実現することのできる周辺加工方法と周辺加工装置を提供することである。
【課題を解決するための手段】
【００１８】
これらの目的のうちの少なくとも１つを実現するため、本発明では、所望の輪郭に沿って周辺切除する少なくとも１つの操作を含む光学レンズの周辺加工法であって、レンズの外周を加工する第１の加工具とレンズ本体の切断具の間で選択を行なって周辺切除を実現する操作を含む方法を提案する。
【００１９】
本発明は、光学レンズを所望の輪郭に沿って周辺加工するため、
−  そのレンズの外周を加工する第１の加工具と、
−  そのレンズ本体の切断具と、
−  周辺加工中にそのレンズを保持する手段と
−  所定の少なくとも１つの周辺加工操作のためにレンズの外周を加工する第１の加工具とレンズ本体の切断具の間で選択を行なう選択手段を備える装置にも関する。
【００２０】
加工の際に滑ったり、変形したり、不快な物質が放出されたりするおそれがある特性を持つレンズに関しては切断具を選択し、その切断具を用いて材料を少量加工することにより、レンズの輪郭の各点で所望の半径を再現することができる。実際には、切断される材料の量は、切断具の直径に対応する幅で切断具がたどる軌跡の長さ（主にレンズの望ましい輪郭）に対応する。レンズの外周の加工とは異なり、レンズの周辺部（すなわち未加工の輪郭）とレンズの望ましい輪郭の間に位置する材料をすべて加工する必要はない。
【００２１】
切断時に加工する材料の量が少ないため、
−  摩擦によってレンズに伝達される全エネルギーを制限することができ、したがってレンズ保持手段に対するレンズの滑りを制限すること、および／または
−  加工操作中に発生する悪臭物質の量を減らすことができる。
【００２２】
具体的に示すと、直径１．５ｍｍのフライスを用いたレンズ本体の切断によって加工される材料の体積は、直径が１５５ｍｍの砥石車を用いた研磨によって加工される材料の体積の約１／１０であると見積もられる。
【００２３】
滑りやすいコーティングを有するレンズの加工に関しては、本発明の方法により、通常の締め付けで加工中にレンズが滑ることが避けられる。そのため滑りやすいコーティングを有するガラスを正確に周辺加工することができる。壊れやすいレンズの加工に関しては、本発明の方法により、レンズを締め付ける力を制限しても加工中に滑らないようにできる一方で、切断具が及ぼす力（この力は、直径の大きな砥石車が及ぼす力よりも小さい）を制限することができる。そのためレンズが過度に湾曲することが避けられる。悪臭物質を含む材料からなるレンズに関しては、加工される材料の全体積を減らすことで、加工によって放出される悪臭物質の量も減らすことができる。
【００２４】
逆に、滑りやすくないレンズ、または特に壊れやすくはないレンズ、または加工中に発生する可能性のある悪臭物質がほとんど含まれていないかまったく含まれていない材料からなるレンズ、または所望の最終的な輪郭に変曲点がないレンズに関しては、より早く所望の輪郭が得られるように、そして切断具があまりに早く摩耗するのが避けられるように第１の加工具を選択することができる。
【００２５】
したがって作業具を選択することで、切断具を選択するか（切断具を用いると、所定の締め付けがなされるレンズが周辺加工の際に滑るおそれ、および／または不快な物質の放出が制限される）、レンズの外周の加工具を選択するか（レンズが滑らず、壊れやすくもなく、悪臭物質を含んでいない場合）を決めることができる。したがってレンズの周辺加工は効率的で正確で信頼性の高いものになり、この周辺加工によって作業者やその近くの人が不快になることはない。
【００２６】
レンズの外周を加工するかレンズ本体を切断するかの選択は、実施すべき周辺切除操作によって起こる可能性のあるリスク、すなわちレンズの滑り、レンズの亀裂、不快な物質の放出の一方および／または他方に関する基準を考慮してなされる。
【００２７】
本発明の有利な第１の特徴によれば、周辺切除中はレンズが保持手段によって保持され、前記選択は、以下のパラメータ、すなわち、レンズに関するパラメータ、加工具または切断具に関するパラメータ、レンズ保持手段に関するパラメータ、レンズの望ましい輪郭形状に関するパラメータのうちの１つまたはいくつかを考慮してなされる。
【００２８】
考慮するそのパラメータから、特に、レンズが滑りやすい性質であるかないか、レンズが壊れやすいかどうか、レンズの材料が悪臭物質を発生させるかどうかを判断することができる。
【００２９】
そのパラメータには、
−  レンズの少なくとも１つの面の濡れ角、
−  周辺切除の際にレンズ保持手段に対してレンズが滑ることなくレンズに加えることのできるトルクの最大値、
−  レンズの厚さ、
−  レンズの構成材料、
−  加工時に発生する可能性のある悪臭物質がレンズの構成材料の組成に存在しているかいないか、
のうちの１つまたはいくつかが含まれていることが望ましい。
【００３０】
本発明の有利な別の特徴によれば、前記選択の対象となる所定の周辺切除操作は荒仕上げであり、その後、レンズの外周を加工する第１の加工具とは異なる、レンズの外周を加工する第２の加工具で仕上げを実施する。
【００３１】
切断による周辺加工の荒仕上げ（周辺切除と呼ばれることがしばしばある）により、レンズのサイクル時間を著しく長くすることなくレンズの滑りを制限することができる。砥石車を用いてレンズの周辺加工を仕上げることにより、荒仕上げされたレンズの周辺部を正確に加工して所望の正確な輪郭を得ることができる。荒仕上げした輪郭と望ましい輪郭の間に残る加工すべき材料の量はわずかであるため、仕上げ用砥石車がレンズに及ぼす摩擦力とトルクが制限される。さらに、レンズの半径は荒仕上げの後に非常に小さくなる。そのため砥石車からレンズに伝えられるトルクが物理的に小さくなる。
【００３２】
本発明の有利な別の特徴によれば、レンズ本体の切断具の直径は、レンズの外周を加工する第１の加工具の直径よりも著しく小さい。
【００３３】
切断具の直径は砥石車の直径よりも非常に小さいため、除去する材料が同じだと、切断具がレンズに及ぼすトルクは、砥石車がレンズに及ぼすトルクよりも非常に小さくなる。そのためレンズの滑りが制限される。
【００３４】
本発明の有利な別の特徴によれば、レンズ本体の切断具の直径は、そのレンズの半径よりも著しく小さい。
【００３５】
切断具の直径は小さいため、レンズ本体の切断が可能になる。切断具の直径が小さくなるほど、レンズに及ぼされる摩擦力とトルクが小さくなる。したがってレンズの滑りが少なくなり、周辺加工がより正確になる。
【００３６】
本発明の有利な別の特徴によれば、レンズの切断に複数回の切断操作が含まれていて、１回ごとの切断操作は、軸方向に浅い（すなわちレンズの厚さよりも薄い）切り込み深さで所望の輪郭に沿って実現される。
【００３７】
１回ごとに切り込みを深くして複数回の操作で切断を実現すると、１回の切断ごとに除去される材料の量を制限すること、したがって切断具がレンズに及ぼすトルクを小さくすることができる。
【００３８】
切断の前に、レンズの少なくとも１つの面を所望の輪郭に沿って接触探査し、少なくとも１回の切断を行なう際に、このようにして回収した接触探査データに応じて切断具の軸方向の移動を制御する。
【００３９】
切断操作を行なうときの軸方向の切り込み深さのピッチは調節できることが望ましい。
【００４０】
２回の切断操作の間に軸方向の切り込み深さのピッチを調節すると、１回ごとに除去する材料の量を変化させること、したがって切断具がレンズに及ぼすトルクを調節してレンズの滑りを制限することができる。
【００４１】
本発明の有利な別の特徴によれば、レンズは、そのレンズの軸線にほぼ平行な軸線のまわりに切断具に対して回転駆動され、回転方向が２回の切断操作の間に逆転する。
【００４２】
１回の切断操作ごとに回転方向を逆にすると、切断具がレンズに及ぼすトルクの方向を逆転させること、したがって保持手段に対してレンズが滑る方向を逆転させることができる。したがって一方向へのレンズの滑りが逆方向へのレンズの滑りによって打ち消される。その結果、保持手段に対するレンズの滑りが制限される。
【００４３】
本発明の有利な別の特徴によれば、レンズは、そのレンズの軸線にほぼ平行な軸線のまわりに切断具に対して回転駆動され、１回の切断操作の少なくとも一部は第１の回転方向に実現され、その切断操作の残りの切断は、第１の回転方向とは逆の第２の回転方向に実現される。
【００４４】
１回の切断操作の途中で回転方向を逆にすると、この切断操作中のレンズの全体的な滑りをやはり制限することができる。
【００４５】
本発明の有利な別の特徴によれば、レンズの切断に、所望の輪郭に沿ってそのレンズを切断することに加え、複数の周辺区画に分割する径方向の区画線に沿った切断が含まれる。
【００４６】
複数部分の切り落としによるレンズの切断を実現すると、切断されたばかりでレンズの周辺部と望ましい輪郭の間に位置してレンズにくっついて残る部分がレンズに及ぼす応力を制限することができる。
【００４７】
径方向の区画線に沿った切断の後に、所望の輪郭に沿った切断を行なうことが望ましい。実際には、切断の前に、レンズの少なくとも１つの面を径方向の区画線に沿って接触探査する。切断時には、そのようにして回収された接触探査データに応じて切断具の軸方向の移動を制御する。
【００４８】
本発明の有利な別の特徴によれば、光学レンズの少なくとも１つの面が１００°を超える濡れ角を与える処理膜で覆われている場合、前記選択は切断具を使用することからなる。このレンズは、表面エネルギーが小さいレンズと呼ばれる。
【００４９】
このようにして、非常に滑りやすいレンズのための切断具が選択される。切断具を用いると、周辺加工の際にレンズの滑りが制限される。そのためレンズの望ましい輪郭を、信頼性よく、効率的に、正確に得ることができる。
【００５０】
本発明の有利な別の特徴によれば、選択手段は、レンズの外周を加工する第１の加工具とレンズ本体の切断具のどちらを選択するかを決定する構成の決定手段を備えている。レンズの荒仕上げに使用する作業具を決定することで、選択の一部を自動化することができる。
【００５１】
本発明の有利な別の特徴によれば、レンズは保持手段によって保持され、決定手段は、レンズに関するパラメータ、および／または加工具または切断具に関するパラメータ、および／または保持手段に関するパラメータの値を計算する計算手段を備えており、その決定手段は、レンズの外周を加工する第１の加工具とレンズ本体の切断具のどちらが選択されるかをそのパラメータの値に応じて決定するように構成されている。
【００５２】
計算手段により、用いる作業具を所定の基準に従って決定することができる。これは、作業具の選択の自動化にもつながる。
【００５３】
本発明の有利な別の特徴によれば、パラメータは、保持手段に対してレンズが滑ることなくそのレンズに加えることのできるトルクの最大値である。
【００５４】
本発明の有利な別の特徴によれば、レンズの切断具は、このレンズの軸線に平行な方向に沿ってレンズに対して移動できるように取り付けられる。
【００５５】
本発明は、表面エネルギーが小さい処理膜で覆われた光学レンズを周辺加工するため、レンズ本体を切断する操作を含む方法にも関する。
【００５６】
表面エネルギーが小さいレンズ、すなわち滑りやすいレンズのレンズ本体を切断することによる周辺加工により、レンズの滑りを制限することができる。このようにして、レンズの望ましい輪郭が、確実に、効率的に、正確に得られる。
【発明を実施するための最良の形態】
【００５７】
添付の図面を参照した例示としての一実施態様に関する以下の説明により、本発明の本質がよく理解できるようになるとともに、いかにして本発明が実現されるかがよく理解できるであろう。
【００５８】
周辺加工装置
【００５９】
図１に、光学レンズ１００の切断モジュール６３６を備える周辺加工装置６を示してある。この周辺加工装置６は、メガネ用レンズの輪郭を変えて選択されたフレームの枠または“円形部”の輪郭に合わせることができる。
【００６０】
この周辺加工装置は、レバー６１１を備えている。このレバーは、第１の軸線Ａ１（実際には水平な軸線）のまわりに自由に回転できるようにシャーシに取り付けられている。
【００６１】
加工するメガネ用レンズの固定と回転駆動のため、周辺加工装置には、メガネ用レンズを締め付けて回転駆動することのできる支持手段が取り付けられている。この支持手段または保持手段は、２本の締め付け・回転駆動シャフト６１２、６１３を備えている。これら２本のシャフト６１２と６１３は、互いに、第１の軸線Ａ１と平行で固定軸線と呼ぶ第２の軸線Ａ２に沿って並んでいる。２本のシャフト６１２、６１３は、レバー６１１に搭載された共通の駆動メカニズム（図示せず）を通じてモータ（図示せず）によって同期して回転駆動される。この共通の同期回転駆動メカニズムは一般的なタイプであるため周知である。
【００６２】
変形例では、機械式または電子式で同期させる別々の２つのモータによって２本のシャフトを駆動させることもできよう。
【００６３】
シャフト６１２、６１３の回転ＲＯＴは、中央電子制御システム（例えば一体化されたマイクロコンピュータ、または専用の集積回路群）によって制御することができる。
【００６４】
シャフト６１２、６１３のそれぞれは自由端を持ち、他方のシャフトと向かい合っている。自由端には固定用パッド（図示せず）が取り付けられている。これら固定用パッドは常にシャフト６１２、６１３に固定されているわけではなく、実際にはレンズを固定するための把持手段（図示せず）によってあらかじめ使用され、その後、移されるこのレンズと接触したままでこの周辺加工装置６に移される。
【００６５】
シャフト６１３は他方のシャフト６１２と向かい合った状態で固定軸線Ａ２に沿って並進移動し、２つの固定用パッドの間でレンズを軸方向に圧縮して締め付けることができる。シャフト６１３は、中央電子制御システムによって制御される作動メカニズム（図示せず）を通じて駆動用モータによって軸方向のこの並進移動を制御される。他方のシャフト６１２は固定用の軸線Ａ２に沿って並進移動できないようにされている。
【００６６】
実際には、周辺加工装置は一連の加工具６１４を備えている。その最初のものは、レンズ１００の外周の周辺加工を荒仕上げするための第１の加工具５０である。この第１の加工具５０はここでは砥石車だが、変形例では、荒仕上げ用フライスを利用することが考えられる。荒仕上げ用砥石車の粒子のサイズは約１５０〜５００ミクロンである。
【００６７】
一連の加工具６１４は、レンズ１００の外周の周辺加工を仕上げるための第１の加工具５０とは異なる第２の加工具５５を備えることも考えられる。レンズ１００の外周のこの第２の加工具５５はここでは仕上げ用砥石車であり、面取り溝と、サイズが約５５ミクロンの粒子を備えている。荒仕上げ用砥石車と仕上げ用砥石車は円筒形であり、直径が約１５５ｍｍである。この一連の加工具６１４（または一連の砥石車）の中には研磨用砥石車も考えられる。
【００６８】
一連の加工具６１４は軸線Ａ３を持つ共通シャフトに取り付けられていて、周辺切除の際に回転駆動することが保証される。この共通シャフト（図では見ることができない）は、電子制御システムによって制御される電動モータ６２０によって回転する。
【００６９】
一連の加工具６１４はさらに、軸線Ａ３に沿って並進移動することができ、制御された駆動手段によってこの並進移動が制御される。具体的には、一連の加工具６１４と、そのシャフトと、そのモータの全体は、台車６２１の上に載っており、この台車そのものは、フレームに固定されたスライダ６２２に取り付けられていて、第３の軸線Ａ３に沿って滑る。砥石車を搭載した台車６２１の並進運動を移送と呼び、図１ではＴＲＡとして示してある。この移送は、中央電子制御システムによって制御されるモータ式駆動手段（図示せず。例えばネジとナットからなるシステムや、ラック）によって制御される。
【００７０】
周辺切除の際に加工具６１４の軸線Ａ３とレンズの軸線Ａ２の軸線間をダイナミックに調節できるようにするため、軸線Ａ１のまわりにレバー６１１が回転できることを利用する。この軸回転によってシャフト６１２と６１３の間に挟まれたレンズが移動（ここではほぼ鉛直方向に移動）し、レンズを加工具６１４に近づけたり加工具６１４から遠ざけたりする。この可動性は電子制御システムにプログラムされており、この可動性によって所望の周辺切除の形態を再現することが可能になる。この可動性を再現と呼び、図面ではＲＥＳとして示してある。再現ＲＥＳというこの可動性は、中央電子制御システムによって制御される。
【００７１】
所定の輪郭に従ってメガネ用レンズを加工するには、モータ６１９の制御下でナット６１７を第５の軸線Ａ５に沿って移動させて再現の運動を制御するとともに、支持シャフト６１２、６１３を、実際にはこれらのシャフトを制御するモータの制御下で第２の軸線Ａ２のまわりに同時に回転させる必要がある。レバー６１１の横方向の再現ＲＥＳ運動とレンズのシャフト６１２、６１３の回転ＲＯＴ運動は電子制御システムによって協調的に制御され、メガネ用レンズの輪郭のすべての点が順番に正しい直径にされる。
【００７２】
図１に示した周辺加工装置は、共通シャフト６３２に取り付けられた面取りと溝形成のための小砥石車６３０、６３１を有する作業モジュール６２５をさらに備えている。この作業モジュール６２５は移動の１つの自由度を持ち、レンズを保持するシャフト６１２、６１３の軸線Ａ２と、再現ＲＥＳの軸線Ａ５と、に対してほぼ横方向に移動できる。移動のこの自由度を退避と呼び、図面ではＥＳＣとして示してある。
【００７３】
空間内では、この退避は、作業モジュール６２５を軸線Ａ３のまわりに回転させることからなる。具体的には、作業モジュール６２５は、台車６２１に取り付けられたチューブ状スリーブ６２７に固定されたレバー６２６によって支持されて軸線Ａ３のまわりを回転する。作業モジュール６２５を回転させるため、スリーブ６２７は、レバー６２６とは反対側の端部に歯車６２８を備えていて、台車６２１に固定された電動モータ６２９のシャフトに取り付けられたピニオン（図面では見ることができない）と噛み合う。
【００７４】
まとめると、このような周辺加工装置で利用できる移動の自由度は以下のようになっていることがわかる。
−  レンズの回転。レンズの全体面に対してほぼ垂直なレンズ保持シャフトのまわりにレンズを回転させることを可能にする。
−  再現。砥石車に対するレンズの横方向の（すなわちレンズの全体面内での）移動の１つの自由度であり、レンズの望ましい形状の輪郭を描くさまざまな半径を再現することができる。
−  移送。作業具に対するレンズの軸方向の（すなわちレンズの全体面に垂直な）移動の１つの自由度であり、レンズと選択した作業具が向かい合った位置に来るようにすることができる。
−  退避。レンズに対する作業モジュールの横方向の移動の１つの自由度であり、再現の移動の自由度とは異なる方向に沿っていて、仕上げモジュールを使用位置に配置することと引っ込めることを可能にする。
【００７５】
作業モジュール６２５には、レンズ１００の本体を切断することによって周辺加工の荒仕上げをするための切断具６３７を有する切断モジュール６３６が取り付けられている（図１参照）。本体の切断は、切断具６３７の直径全体をレンズの中に侵入させ、その切断具をレンズの中で切断の軌跡に沿って移動させて所望の切断１１０を実現することからなる。所望の切断１１０は、所望の最終輪郭と同じ形状の所望の荒仕上げ輪郭１１０だが、サイズがより大きい。
【００７６】
本体の切断は、レンズの外周の加工とは異なる。なぜなら後者では、加工具の直径のほんの一部だけがレンズの外周の材料の中に入り、レンズの未加工の周辺部（または外周）と実現する荒仕上げ輪郭の間に位置する全材料が加工されるからである。
【００７７】
切断具は、ここでは、軸線Ａ６がシャフト６１２、６１３の軸線Ａ２（すなわちレンズの軸線）とほぼ平行なエンド・ミル、または切断用フライスである。変形例では、この切断具は、荒仕上げ用の砥石車またはフライスよりも直径が小さい研削用ブローチで構成すること、またはレーザー光線で構成することができる。
【００７８】
例えば切断用フライスは長さが１２ｍｍであり、タングステンカーバイドで実現される。レンズ本体を切断できるようにするため、切断具６３７の直径は、レンズの直径よりも非常に小さい。レンズ１００本体を切断する切断用フライス６３７の直径は４ｍｍ未満であることが好ましく、典型値は１〜２ｍｍである。第１の加工具すなわち砥石車５０の直径は、例えば約１５５ｍｍである。言い換えるならば、切断用フライス６３７の直径は、平均してレンズ１００の半径（典型値は約７０ｍｍ）の１〜６％である。
【００７９】
切断用フライスの位置決めは、退避ＥＳＣと移送ＴＲＡというあらかじめ存在している移動の２つの自由度によって実現される。
【００８０】
周辺加工装置６は、制御用の電子処理ユニット（電子制御システムとも呼ぶ）１３０を備えている。電子処理ユニット１３０は、ここでは、さまざまな作業具と、レンズの締め付け・回転駆動手段（保持手段）の移動のさまざまな自由度とを、自動化された周辺加工法に従って協調的に制御する電子カードからなる。周辺加工法についてはあとで説明する。
【００８１】
電子制御システム１３０は、従来と同様、例えばマザーボードと、マイクロプロセッサと、ＲＡＭと、不揮発性の大容量メモリとを備えている。大容量メモリには、あとで説明する周辺加工法を実行するプログラムが記憶されている。この大容量メモリは再書き込みが可能であることが好ましく、素早く交換したり標準規格のインターフェイスを通じて遠隔コンピュータ上でプログラミングを行なったりできるよう取り外し可能になっていることが望ましい。電子制御システム１３０は、レンズの望ましい最終輪郭１２０を記憶させる手段も備えている。この記憶手段は、再書き込みが可能なメモリと、このメモリに書き込むことのできるインターフェイス（例えばキーボードとスクリーン）とで構成することができる。
【００８２】
最後に、電子制御システム１３０は、周辺加工に関する所定の操作のうちの少なくとも１つを行なうため、レンズ１００の外周の第１の加工具５０とレンズ１００の切断具６３７のいずれかを選択する手段を備えている。この選択手段は、レンズ１００の外周の第１の加工具５０とレンズ１００の切断具６３７のどちらが選択されるかを決定するための決定手段を備えている。そのため決定手段は、レンズに関するパラメータ、および／または加工具と切断具に関するパラメータ、および／またはレンズ１００の保持手段に関するパラメータの値を計算する手段を備えている。決定手段は、この値を参照値と比較する比較手段も備えており、比較結果に応じてレンズ１００の外周の第１の加工具５０とレンズ１００の切断具６３７のどちらが選択されるかを決定するようにされている。
【００８３】
周辺加工方法
【００８４】
周辺加工する光学レンズ１００に関する特徴（例えば所望の最終輪郭１２０やレンズの表面エネルギー）は電子処理ユニットに記憶される。レンズの表面エネルギーは、濡れ角によって定量化することができる。一滴の水が問題のレンズの表面に存在しているとすると、この濡れ角は、水滴の表面がレンズと接する点におけるこの水滴の表面の接平面と、水滴の表面との接点におけるレンズの表面の接平面との間に形成される角度として定義される。この角度が大きくなるにつれて表面のエネルギーが小さくなるため、レンズはより滑りやすくなる。
【００８５】
レンズ１００の外周の第１の加工具５０またはレンズ１００本体の切断具６３７を選択して所定の少なくとも１つの周辺加工操作を実現する。その選択の対象となる所定の周辺加工操作は、ここでは、レンズの周辺加工の荒仕上げと、その後にレンズ１００の外周の第２の加工具５５で実施される仕上げである。
【００８６】
この選択は、レンズに関する１つまたは複数のパラメータ（例えば保持手段によって保持される面の一方または両方の摩擦の大きさ、および／またはレンズの厚さ、および／またはレンズの材料）を考慮してなされる。選択は、レンズの保持手段に関するパラメータ（例えば保持手段の摩擦の大きさ）を考慮して行なうこともできる。
【００８７】
道具の選択は、以下の４つのカテゴリーのパラメータを組み合わせて、または組み合わせずに行なうことができる。
−  レンズの表面が滑りやすいか滑らないかに関する第１のカテゴリーのパラメータ、
−  レンズの硬さに関する第２のカテゴリーのパラメータ、
−  レンズを構成する材料の組成に、加工時に発生する可能性がある悪臭物質が含まれているかいないかに関する第３のカテゴリーのパラメータ、
−  周辺切除後のレンズの望ましい輪郭形状に関する第４のカテゴリーのパラメータ。
【００８８】
第１のカテゴリーのパラメータは、例えば保持手段６１２、６１３に対してレンズが滑ることなくレンズに加えることのできるトルクの最大値を含んでいる。このトルクの許容値は、保持手段と、保持手段をレンズに押し付ける力と、レンズの表面とに依存する。比較手段は、計算によるこの最大値を参照値と比較する。この参照値は例えば２Ｎｍである。計算によるこの最大値が参照値を越える場合には、第１の加工具５０が選択されて周辺加工の荒仕上げがなされ、計算によるこの最大値が参照値以下である場合には、切断具６３７が選択され、本体の切断による周辺加工の荒仕上げがなされる。後者の場合、光学レンズは小さな表面エネルギーを持つと言われる。
【００８９】
レンズの表面が滑りやすいか滑らないかに関係していて道具を選択するために考慮できる別のパラメータは濡れ角である。濡れ角が１００°よりも大きい場合には、光学レンズが小さな表面エネルギーを持つと考えて切断具が選択される。
【００９０】
例えばレンズが、それぞれの面を滑りやすくする疎水性および／または疎油性コーティングを有すると仮定することができる。するとレンズが保持手段６１２、６１３に対して滑ることなくレンズ１００に加えることのできるトルクの最大値は約０．３Ｎｍになる。したがってこの場合には切断具を選択せねばならないことがわかる。
【００９１】
加工具は、レンズの硬さに応じて選択することもできる。レンズの厚さおよび／または材料がレンズの変形を引き起こすおそれがある場合には、支持手段上でのレンズの締め付けを弱くし、レンズが滑らないようにするため切断具を選択して周辺加工の荒仕上げを行なう。したがって加工具の選択は、レンズの厚さと材料の組み合わせに応じて行なうことができる。
【００９２】
加工具の選択は、レンズの構成材料の成分中に、加工時に発生する可能性がある悪臭物質が含まれているかいないかに応じて行なうこともできる。この基準は、何よりもレンズの構成材料の性質に依存する。例えば屈折率が中程度または大きな（すなわち屈折率が一般に１．６を越える）材料からなるレンズの大半は、加工時に発生する物質を実際に含んでいる。この基準を考慮するため、電子処理ユニットは、局所レジスタまたは遠隔レジスタを有するか、局所レジスタまたは遠隔レジスタにアクセスする。そのレジスタにおけるそれぞれの記録は、１つの材料または材料の１つのカテゴリーに関するものであり、その材料または材料のカテゴリーが何であるかに加え、その材料または材料のカテゴリーに、加工時に発生する可能性がある悪臭物質が含まれていることを示すものを含んでいる。
【００９３】
加工具の別の選択基準は、レンズの望ましい最終輪郭の形状である。実際、この形状に凹形状の部分が１つまたは複数存在している場合には、すなわちレンズの平均面から輪郭が突起している部分に１つまたは複数の変曲点がある場合には、この形状は、レンズ周辺部を加工する従来の加工具ではおそらく得ることができないであろう。例えば砥石車や、フライスカッターは、変曲点に忠実な加工を行なうには直径が大きすぎる。
【００９４】
いずれにせよ、電子処理ユニットによってレンズが滑りやすいか壊れやすいことが検出された場合、またはレンズの材料に悪臭物質が含まれている場合、またはレンズの望ましい輪郭の形状に凹部が１つまたは複数ある場合には、電子処理ユニットは、上記の基準を適用し、適切なインターフェイス（例えばキーボードに付随するスクリーンなど）を通じ、レンズの切断の荒仕上げを実現するために切断用フライスを選択するよう作業者に提案する。変形例では、電子処理ユニットは、作業者と対話することなく、道具とそれに対応する周辺切除のモードのこの選択を自動的に行なうこともできる。
【００９５】
すでに述べたように、本体の切断によるこの周辺切除モードにより、レンズがその保持手段に対して滑るおそれを小さくすること、および／または放出される悪臭物質の量を減らすことができる。また、このモードにより、レンズの周辺部を加工するための従来の砥石車またはフライスでは形成することのできない複雑な形状（例えば複数の変曲点を有する凹形状の部分が１つまたは複数ある形状）に沿ってレンズを周辺切除することもできる。
【００９６】
切断時には電子制御システム１３０は、作業モジュール６２５の移送ＴＲＡ、締め付け・回転駆動シャフト６１２、６１３の再現ＲＥＳ、作業モジュール６２５の退避ＥＳＣ、レンズの回転ＲＯＴを適切に調和させ、レンズに対して切断具がレンズを切断するのに必要な移動をするよう制御を行なう。
【００９７】
第１の実施態様によれば、レンズ本体を切断するため、切断用フライスは軸線Ａ６のまわりを回転し、レンズに平行な軸線に沿って位置決めされ、横方向の移動によってレンズの材料の内部に入っていく。切断用フライス６３７は軸方向にも位置決めされ、横方向に移動するときにレンズの２つの面の一方から他方へと横断する。したがって切断用フライス６３７はレンズ１００の軸線に対して横方向に移動して所望の荒仕上げ輪郭１１０を実現する。荒仕上げ輪郭１１０は所望の最終輪郭１２０の形状を有するが、それよりもサイズがわずかに大きい。
【００９８】
図示していない変形例では、荒仕上げ輪郭１１０と最終輪郭１２０は、凹形状になった１つまたは複数の部分を有する。すなわち（図２に示した）レンズの平均面から輪郭が突起している部分に（図２に示した例とは違って）１つまたは複数の変曲点を有する。その場合には、すでに説明したように、本体の切断具が選択されるか、少なくとも本体の切断具を選択することが提案される。
【００９９】
図２に示してあるように、レンズの荒仕上げのための切断には、レンズの複数の周辺区画を複数の部分に分離する径方向の区画線１０５、１０６、１０７、１０８に沿った切断が含まれる。
【０１００】
レンズの切断された周辺区画は、廃棄される切り落とし部分１０１、１０２、１０３、１０４を構成し、保持手段６１２、６１３によって保持されて残る中央部分は、所望の荒仕上げ輪郭１１０を有する。それぞれの切り落とし部分は、切断具６３７がレンズ１００の半径にほぼ沿ってレンズ１００の中心に向かって侵入して実現する荒仕上げ輪郭１１０まで移動し、次いで実現する荒仕上げ輪郭１１０の一部に沿って移動し、最後に、切断具６３７が、レンズ１００の別の半径にほぼ沿って、レンズ１００の中心に向かうのとは反対方向に移動することでレンズの切断具が解放されることによって得られる。
【０１０１】
変形例では、径方向の区画線による切断は、所望の輪郭線１１０に沿って行なうことができる。
【０１０２】
変形例では、（レンズが壊れやすいか滑りやすいときに）レンズが滑る危険性をさらに少なくするため、切断を複数回行なってレンズ１００を切断することもできる。その場合には、切断の前に、レンズの２つの面を、所望の輪郭に沿って接触探査するとともに、径方向の区画線に沿って接触探査する。次に、レンズの大まかな切断を、軸方向に複数回の作業を順番に実施することによって行なう。まず最初にレンズを径方向の区画線に沿って切断する。径方向の各区画線による切断は複数回の作業によってなされ、それぞれの作業での軸方向の切り込み深さは浅い。次に、レンズを径方向の区画線に沿って切断した後、所望の輪郭に従って切断する。この切断は複数回の作業によってなされ、それぞれの作業での軸方向の切り込み深さは浅い。複数回の切断作業での軸方向の切り込み深さは調節可能であり、一般に、径方向の区画線に沿った切断のほうを、所望の最終輪郭に沿った切断よりも大きくすることができる。１回の作業での軸方向の切り込み深さは、もちろん、所望の輪郭に沿ったレンズの最大の厚さよりも薄い。１回の作業ごとの切り込み深さと作業回数は、最終輪郭に沿ったレンズの２つの面の接触探査によって与えられるレンズの厚さに関する幾何学的データに応じて決められるようになっていることが望ましい。
【０１０３】
１回の切断作業ごとに、切断具６３７は、以前に回収された接触探査データに応じて軸方向に、すなわち移送方向に移動する。径方向の区画線に沿った切断のための移送の制御は、区画線に沿った接触探査データに応じて実施する。所望の最終輪郭に沿った切断のための移送の制御は、その所望の輪郭に沿った接触探査に応じて実施する。
【０１０４】
レンズ１００の回転方向（加工の進行方向）を１回の切断作業ごとに逆転させる。このようにすると、レンズが保持手段に対してわずかに回転して滑ると仮定した場合にこの滑りが同じ方向に累積しない。
【０１０５】
１回の切断作業の一部を切断具に対してレンズを第１の回転方向に回転駆動することによって実現し、その切断作業の残りの部分を第１の回転方向とは逆の第２の回転方向に回転駆動することによって実現することさえ考えられる。
【０１０６】
実現しようとするモードに関係なく、最初にレンズの周辺部からレンズの中に侵入するのではなく、レンズに対して切断具が移動できることを利用してレンズの厚さの一部または全体に穴を開けてその切断具をあらかじめ配置し、次いでレンズの回転中に所望の切断線に従ってその切断具を横方向に移動させることが考えられる。
【０１０７】
研磨による周辺加工の仕上げ
【０１０８】
次に、仕上げ用砥石車５５で研磨することによって周辺加工の仕上げを行なう。面取り溝により、必要な場合にはレンズの外周に面取り縁部を実現することができる。仕上げ用砥石車の移送ＴＲＡの自由度と、レンズの再現ＲＥＳの自由度と、レンズの回転ＲＯＴの自由度は、本体の切断によって得られる荒仕上げ輪郭１１０と所望の最終輪郭１２０との間に位置する材料を少量ずつ除去しながら所望の最終輪郭１２０に到達するように制御する。仕上げ用砥石車５５の粒子は細かいため、正確な所望の最終輪郭１２０に到達する。
【０１０９】
本発明がここに説明して図示した実施態様に限定されることはなく、当業者であれば本発明の精神に合致するあらゆる変形例を考えることができよう。
【０１１０】
変形例では、レンズの外周の加工具も選択手段も備えていないが、レンズ本体の切断具を備える装置を利用することが考えられる。その場合には、表面エネルギーの小さな処理膜で覆われた光学レンズの本体をこの装置で切断する。
【０１１１】
変形例では、切断用フライスの向きを変えることができる。方向変更は、例えば切断用フライスの軸線に対して横向きの軸線のまわりの回転によって実現することができる。この切断用フライスは、レンズの穿孔にも用いることができる。切断用フライスの代わりにドリルにして、レンズの穿孔に用いる一方で、切断用フライスのように上に説明したようなレンズを切断する機能も実現することができる。
【０１１２】
仕上げ用砥石車で周辺加工を仕上げた後、他の仕上げステップとして、溝形成、穿孔、面取りなどを考えることができる。変形例では、周辺加工荒仕上げ用の砥石車の代わりに噴水流による切断装置にすることができる。
【０１１３】
選択手段に関しては、変形例として、一部だけを自動化することができる。その場合には、選択手段は、周辺加工の荒仕上げを実現するため、プログラムと、作業具の選択肢を提案する作業者との通信インターフェイスとを備えることができる。したがって作業者は、周辺加工の荒仕上げに利用すべき切断具または加工具を通信インターフェイスを利用して選択するだけでよい。
【図面の簡単な説明】
【０１１４】
【図１】切断モジュールを備える光学レンズ・周辺加工装置の斜視図である。
【図２】切断によって周辺切除された光学レンズをこのレンズの平均面で見た正面図である。
【図１】
2009536102.tif 000003
【図２】
2009536102.tif 000004
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
所望の輪郭に沿って周辺切除する少なくとも１つの操作を含む光学レンズ（１００）の周辺加工法であって、
レンズ（１００）の外周を加工する第１の加工具（５０）とレンズ（１００）本体の切断具（６３７）の間で選択を行なって周辺切除を実現する操作を含む、
ことを特徴とする方法。
【請求項２】
周辺切除中は前記レンズが保持手段（６１２、６１３）によって保持され、
前記選択が、
−  前記レンズに関するパラメータ、
−  前記加工具または前記切断具に関するパラメータ、
−  前記レンズ保持手段（６１２、６１３）に関するパラメータ、
−  前記レンズの望ましい輪郭形状に関するパラメータ、
を単独で用いて、または組み合わせてなされる、
ことを特徴とする請求項１に記載の周辺加工法。
【請求項３】
前記選択が、前記レンズの少なくとも１つの面の濡れ角を考慮してなされる、ことを特徴とする請求項１または２に記載の周辺加工法。
【請求項４】
前記選択が、
前記レンズに関するパラメータを考慮してなされるか、あるいは、
前記レンズに関するパラメータと、そのレンズ（１００）がその保持手段（６１２、６１３）に対して滑ることなくそのレンズに加えることのできるトルクの最大値を特徴づける、そのレンズ保持手段（６１２、６１３）に関するパラメータとの組み合わせを考慮してなされる、
ことを特徴とする請求項２または３に記載の周辺加工法。
【請求項５】
前記レンズに関するパラメータに、そのレンズの厚さが含まれる、ことを特徴とする請求項２から４のいずれか１項に記載の周辺加工法。
【請求項６】
前記レンズに関するパラメータに、そのレンズを構成する材料が含まれる、ことを特徴とする請求項２から５のいずれか１項に記載の周辺加工法。
【請求項７】
前記レンズに関するパラメータに、
レンズ材料の屈折率、
レンズ材料の成分に加工時に悪臭を発生させる可能性のある物質が含まれているかいないか、
の指標の内の１つが含まれる、ことを特徴とする請求項６に記載の周辺加工法。
【請求項８】
周辺切除を実現するため、前記レンズ（１００）の望ましい輪郭が少なくとも１つの変曲点を有するのであれば前記レンズ本体の切断具（６３７）を選択し、そうでない場合には前記レンズ（１００）の外周を加工する第１の加工具（５０）を選択する、ことを特徴とする請求項１から７のいずれか１項に記載の周辺加工法。
【請求項９】
周辺切除を実現するため、前記レンズ（１００）の望ましい輪郭が少なくとも１つの凹部を有するのであれば前記レンズ本体の切断具（６３７）を選択し、そうでない場合には前記レンズ（１００）の外周を加工する第１の加工具（５０）を選択する、ことを特徴とする請求項１から７のいずれか１項に記載の周辺加工法。
【請求項１０】
前記選択の対象となる所定の周辺切除操作が荒仕上げであり、その後、レンズ（１００）の外周を加工する第１の加工具（５０）とは異なる、レンズ（１００）の外周を加工する第２の加工具（５５）で仕上げを実施する、ことを特徴とする請求項１から９のいずれか１項に記載の周辺加工法。
【請求項１１】
前記レンズ（１００）本体の切断具（６３７）の直径が、レンズ（１００）の外周を加工する第１の加工具（５０）の直径よりも著しく小さい、ことを特徴とする請求項１から１０のいずれか１項に記載の周辺加工法。
【請求項１２】
前記レンズ（１００）の切断に、所望の輪郭に沿ってそのレンズを切断することに加え、複数の周辺区画（１０１、１０２、１０３、１０４）に分割する径方向の区画線に沿った切断が含まれる、ことを特徴とする請求項１から１１のいずれか１項に記載の周辺加工法。
【請求項１３】
径方向の区画線に沿った前記切断の後に、所望の輪郭に沿った前記切断を行なう、ことを特徴とする請求項１２に記載の周辺加工法。
【請求項１４】
前記切断の前に、前記レンズの少なくとも１つの面を前記径方向の区画線に沿って触覚器探査し、切断時に、そのようにして回収された触覚器探査データに応じて前記切断具（６３７）の軸方向の移動を制御する、ことを特徴とする請求項１３に記載の周辺加工法。
【請求項１５】
前記光学レンズ（１００）の少なくとも１つの面が１００°を超える濡れ角を与える処理膜で覆われている場合、前記選択が前記切断具を使用することからなる、ことを特徴とする請求項１から１４のいずれか１項に記載の周辺加工法。
【請求項１６】
光学レンズ（１００）を所望の輪郭に沿って周辺加工するための装置であって、
−  そのレンズ（１００）の外周を加工する第１の加工具（５０）と、
−  そのレンズ（１００）本体の切断具（６３７）と、
−  周辺加工中にそのレンズを保持する手段（６１２、６１３）と、を備えていて、
所定の少なくとも１つの周辺加工操作のためにレンズ（１００）の外周を加工する第１の加工具（５０）とレンズ（１００）本体の切断具（６３７）の間で選択を行なう選択手段を備える、
ことを特徴とする装置。
【請求項１７】
前記選択手段が、
−  前記レンズに関するパラメータ、
−  前記加工具または前記切断具に関するパラメータ、
−  前記レンズ保持手段（６１２、６１３）に関するパラメータ、
−  前記レンズの望ましい輪郭形状に関するパラメータ
を単独で用いて、または組み合わせて、
レンズ（１００）の外周を加工する第１の加工具（５０）とレンズ（１００）本体の切断具（６３７）のどちらを選択するかを決定する決定手段を備える、
ことを特徴とする請求項１６に記載の周辺加工装置。
【請求項１８】
前記レンズ（１００）の切断具（６３７）が、そのレンズ（１００）の軸線に平行な方向に沿ってそのレンズに対して自由に移動できるように取り付けられており、かつ、
切断の間、軸方向の移動の自由をコントロールするコントロールユニットを有する、
ことを特徴とする請求項１６または１７に記載の周辺加工装置。
【手続補正２】
【補正対象書類名】明細書
【補正対象項目名】００３８
【補正方法】変更
【補正の内容】
【００３８】
切断の前に、レンズの少なくとも１つの面を所望の輪郭に沿って触覚器探査し、少なくとも１回の切断を行なう際に、このようにして回収した触覚器探査データに応じて切断具の軸方向の移動を制御する。
【手続補正３】
【補正対象書類名】明細書
【補正対象項目名】００４７
【補正方法】変更
【補正の内容】
【００４７】
径方向の区画線に沿った切断の後に、所望の輪郭に沿った切断を行なうことが望ましい。実際には、切断の前に、レンズの少なくとも１つの面を径方向の区画線に沿って触覚器探査する。切断時には、そのようにして回収された触覚器探査データに応じて切断具の軸方向の移動を制御する。
【手続補正４】
【補正対象書類名】明細書
【補正対象項目名】０１０２
【補正方法】変更
【補正の内容】
【０１０２】
変形例では、（レンズが壊れやすいか滑りやすいときに）レンズが滑る危険性をさらに少なくするため、切断を複数回行なってレンズ１００を切断することもできる。その場合には、切断の前に、レンズの２つの面を、所望の輪郭に沿って触覚器探査するとともに、径方向の区画線に沿って触覚器探査する。次に、レンズの大まかな切断を、軸方向に複数回の作業を順番に実施することによって行なう。まず最初にレンズを径方向の区画線に沿って切断する。径方向の各区画線による切断は複数回の作業によってなされ、それぞれの作業での軸方向の切り込み深さは浅い。次に、レンズを径方向の区画線に沿って切断した後、所望の輪郭に従って切断する。この切断は複数回の作業によってなされ、それぞれの作業での軸方向の切り込み深さは浅い。複数回の切断作業での軸方向の切り込み深さは調節可能であり、一般に、径方向の区画線に沿った切断のほうを、所望の最終輪郭に沿った切断よりも大きくすることができる。１回の作業での軸方向の切り込み深さは、もちろん、所望の輪郭に沿ったレンズの最大の厚さよりも薄い。１回の作業ごとの切り込み深さと作業回数は、最終輪郭に沿ったレンズの２つの面の触覚器探査によって与えられるレンズの厚さに関する幾何学的データに応じて決められるようになっていることが望ましい。
【手続補正５】
【補正対象書類名】明細書
【補正対象項目名】０１０３
【補正方法】変更
【補正の内容】
【０１０３】
１回の切断作業ごとに、切断具６３７は、以前に回収された触覚器探査データに応じて軸方向に、すなわち移送方向に移動する。径方向の区画線に沿った切断のための移送の制御は、区画線に沿った触覚器探査データに応じて実施する。所望の最終輪郭に沿った切断のための移送の制御は、その所望の輪郭に沿った触覚器探査に応じて実施する。
【手続補正６】
【補正対象書類名】図面
【補正対象項目名】図２
【補正方法】変更
【補正の内容】
【図２】
2009536102.tif 000005
【国際調査報告】
2009536102.tif 000006
2009536102.tif 000007
2009536102.tif 000008
2009536102.tif 000009
2009536102.tif 000010
2009536102.tif 000011